(57)【特許請求の範囲】
【請求項１】
前板および後板を有しそれらによって支持される前後方向に延伸したガイド部をさらに有する外引出と、
前記ガイド部の少なくとも上面を被覆する保護カバーであって、その上を内引出が走行可能なガイドレールを形成する保護カバーとを含み、
前記保護カバーは、前記ガイド部に対する回転止め機構を有する共通カバー部材、および、該共通カバー部材に着脱可能な選択カバー部材で構成されていて、
前記選択カバー部材は、長さの相異する複数の選択カバー部材から選択されることを特徴とするキッチン収納庫。
【請求項２】
前記保護カバーは、前記ガイド部の実質的に前端部までを被覆することを特徴とする請求項１に記載のキッチン収納庫。
【請求項３】
前記保護カバーの前端部には、前方に向かって下降した段差部が形成されていることを特徴とする請求項１または２に記載のキッチン収納庫。
【請求項４】
前記保護カバーは、後方に向かってなだらかに下降する傾斜部を有することを特徴とする請求項３に記載のキッチン収納庫。
【請求項５】
前記保護カバーは、前方、後方および下方が開放された、略コの字型の断面を有し、前記ガイド部に上方から被せることによって該ガイド部を被覆することを特徴とする請求項１から４までのいずれかに記載のキッチン収納庫。
【請求項６】
前記保護カバーの内側には、上方に向かって先細りに傾斜する間口部と、該間口部の上方でガイド部に嵌合する形状を有する嵌合部とを有し、可撓性によって前記間口部を拡げてガイド部を前記嵌合部に嵌合させることを特徴とする請求項５に記載のキッチン収納庫。
【請求項７】
前記保護カバーの側面には、前記間口部が設けられている箇所に、下端から上方に向かって延びる１つ以上のスリットが形成されていることを特徴とする請求項６に記載のキッチン収納庫。
【発明の詳細な説明】
【技術分野】
【０００１】
本発明は、キッチンに配置される引出式のキッチン収納庫に関するものである。
【背景技術】
【０００２】
キッチンで使用される調理器具には、ボールやざる、長手の形状を有する杓子類（レードル）、長箸、ラップ、調味料などの小物類、包丁など、様々なものがある。
【０００３】
かかる雑多な調理器具等を収納するため、本願出願人は、従来一般的であった扉、小引出、台輪等の構成を廃して、特許文献１に記載の大型引出を採用し、収納量の飛躍的な拡大と使い勝手の向上を図った。
【０００４】
特許文献１に記載の引出の構造は、前板と後板との間にガードパイプを渡し、その上には、その上面を覆う保護部材を設け、この保護部材上にトレイやボックスを載置可能としたものである。
【特許文献１】特許第３６１５５１６号
【発明の開示】
【発明が解決しようとする課題】
【０００５】
しかし、特許文献１に記載のような、大型引出（外引出）とトレイやボックス（内引出）の少なくとも２段構成のキッチン収納庫の場合、外引出の奥行き寸法は、キッチンの大きさに応じて様々に変化させてよく、したがって、ガードパイプの長さも変化し得る。
【０００６】
また、ガードパイプ上に載置されるトレイやボックスの奥行き寸法も、キッチンの使用態様に合わせて様々なサイズに変更可能である。
【０００７】
そこで様々なサイズの保護部材を用意することが考えられるが、ユーザのニーズを見込んで製造した保護部材が、選択されずに、無駄になってしまうおそれがある。また、ユーザ側から見ると、収納レイアウトを変更したり、ガードパイプの長さや、内引出の奥行き寸法が変化した場合に対応したりするため、新たな保護部材に交換するには、コストがかかる。
【０００８】
本発明はこのような課題に鑑み、メーカおよびユーザの双方にとってコストの高騰を回避しつつ、外引出や内引出の奥行き寸法の変化に対応した保護カバーを備えたキッチン収納庫を提供することを目的とする。
【課題を解決するための手段】
【０００９】
上述の課題を解決するために、本発明によるキッチン収納庫は、前板および後板を有しそれらによって支持される前後方向に延伸したガイド部をさらに有する外引出と、ガイド部の少なくとも上面を被覆する保護カバーであって、その上を内引出が走行可能なガイドレールを形成する保護カバーとを含み、保護カバーは、ガイド部に対する回転止め機構を有する共通カバー部材、および、共通カバー部材に着脱可能な選択カバー部材で構成されていて、選択カバー部材は、長さの相異する複数の選択カバー部材から選択されることを特徴とする。
【００１０】
上記の構成によれば、回転止め機構を有する製造コストの高い部材を共通カバー部材として共通化し、選択・交換可能な部材を選択カバー部材としている。これにより、メーカおよびユーザの双方にとってコストの高騰を回避しつつ、外引出や内引出の奥行き寸法の変化に対応して選択・交換可能な保護カバーを提供できる。
【００１１】
また、ガイド部の先端には、前板の傾斜を調節する機構を設けることが可能であり、この前板傾斜調節機構を操作する際、選択カバー部材が共通カバー部材から着脱自在であることは利点となる。すなわち、保護カバー全体をガイド部から外す必要がなく、選択カバー部材のみをガイド部から外せば、上記機構の操作は可能となるからである。
【００１２】
上記の保護カバーは、ガイド部の実質的に前端部までを被覆してよい。内引出が、外引出の前板の直近までスライドするようにしたい場合、上述のような、ガイド部の実質的に前端部まで被覆する長い選択カバー部材を必要とするからである。
【００１３】
一方、相対的に短い選択カバー部材を用いてもよいことは言うまでもなく、これによれば、奥行きの短い外引出に対応したり、内引出のスライド範囲を規制したりすることが可能となる。
【００１４】
上記の保護カバーの前端部には、前方に向かって下降した段差部が形成されているとよい。内引出は、保護カバー上を走行する車輪によって、保護カバー上をスライド可能であり、この車輪は、選択カバー部材の前端部の段差部に落ち込む。このように本発明によれば、保護カバーの一部が選択・交換可能であることから、内引出の停止位置を、外引出の前板ぎりぎりの所にすることも可能であるし、外引出の途中で停止させることも可能である。
【００１５】
また、段差部に車輪が落ち込むことによって、外引出を引き出す際、内引出を後退させずに、外引出と一体的に引き出すことが可能である。とくに、両方の引出がシンクキャビネット内に完全に収容されているときに車輪が段差部に落ち込んでいれば、外引出とともに内引出を同時に引き出すことができる。
【００１６】
上記の保護カバーは、後方に向かってなだらかに下降する傾斜部を有するとよい。かかる傾斜部を有するのは、保護カバーのうち、選択カバー部材でもよいし、共通カバー部材でもよい。かかる傾斜部を設けることにより、内引出の車輪を段差部から持ち上げた後は、傾斜によって、内引出を後方にスムーズにスライド移動させることができる。段差から引き上げたら手を離すだけで内引出がキャビネット内に収納されるほどの傾斜部としてもよい。
【００１７】
上記の保護カバーは、前方、後方および下方が開放された、略コの字型の断面を有し、ガイド部に上方から被せることによってガイド部を被覆するとよい。かかる構成によれば、保護カバーは、ガイド部に対して、簡単に取付や交換が可能となるからである。
【００１８】
上記の保護カバーの内側には、上方に向かって先細りに傾斜する間口部と、間口部の上方でガイド部に嵌合する形状を有する嵌合部とを有し、可撓性によって間口部を拡げてガイド部を嵌合部に嵌合させるとよい。
【００１９】
上記の保護カバーの側面には、上記の間口部が設けられている箇所に、下端から上方に向かって延びる１つ以上のスリットが形成されているとよい。このようなスリットが形成されていれば、保護カバーが撓み、保護カバーをガイド部に装着できるからである。
【００２０】
また、上記の共通カバー部材と選択カバー部材とは、凹部と、凸部とによって嵌合し、上下方向には分離可能だが、前後方向には分離不能な構造によって、着脱可能とするとよい。かかる構造によれば、選択カバー部材だけを上に持ち上げ、他の選択カバー部材を代わりにガイド部に被せることが容易だからである。
【００２１】
また、共通カバー部材は、一般的に円柱状のパイプであるガイド部の周囲を回転してしまわないよう、回転止め機構を備えている。一方、選択カバー部材には回転止め機構はないものの、上述の凹部、凸部による嵌合により、選択カバー部材は共通カバー部材に固定されるため、回転が防止されている。
【発明の効果】
【００２２】
本発明によれば、外引出と内引出とを備えたキッチン収納庫において、回転止め機構を有する製造コストの高い部材を共通カバー部材として共通化し、選択・交換可能な部材を選択カバー部材としたことにより、メーカおよびユーザの双方にとってコストの高騰を回避しつつ、外引出や内引出の奥行き寸法の変化に対応して選択・交換可能な保護カバーを提供できる。
【発明を実施するための最良の形態】
【００２３】
次に添付図面を参照して本発明によるキッチン収納庫の実施形態を詳細に説明する。図中、本発明に直接関係のない要素は図示を省略する。また、同様の要素は同一の参照符号によって表示する。なお、以下の実施形態に示す寸法、材料、その他具体的な数値などは、発明の理解を容易とするための例示に過ぎず、特に断る場合を除き、本発明を限定するものではない。
【００２４】
図１は、本発明によるキッチン収納庫の実施形態である多段収納庫が格納されるキッチンの外観図であり、図２は図１のキッチンの斜視図である。キッチン１００はいわゆる対面式のオープンシステムキッチンであり、調理器具を吊るしたり収納棚を設けたりする壁がキッチン使用者の前方になく、とりわけ効率的に調理器具等を収納することが必要とされている。
【００２５】
図２に示すとおり、キッチン１００はコンロ１１０が設置されているコンロキャビネット１２０と、水栓１３０およびシンク１４０が設置されているシンクキャビネット１５０と、調理スペース１６０が設けられていて食器洗い機等を収容可能なベースキャビネット１７０との３つのキャビネットで構成されている。
【００２６】
図２に示すとおり、キッチン１００はコンロ１１０、シンク１４０および調理スペース１６０が隣接していて無駄なスペースを極力排した構成となっている。
【００２７】
本発明によるキッチン収納庫の実施形態である多段収納庫２００は、取っ手１８０が取り付けられた引き出し式の収納庫である。なお多段収納庫２００の下には床面にほぼ接する足下収納庫２１０が配置されている。
【００２８】
図２に示すように、多段収納庫２００は、キッチン１００のシンク１４０の下に配置されている。これにより、長い距離を移動しなくても、シンク１４０にて用いられる調理器具や調味料を取り出しやすいからである。しかし、多段収納庫２００は他の位置に設けてもよく、例えば調理スペース１６０を設けたベースキャビネット１７０内に設けてもよい。
【００２９】
図３は図２に示す多段収納庫を引き出した状態を示す図である。多段収納庫２００は、外引出３００と内引出２３０とで構成されている。外引出３００は、前板２５０および後板２５２（図４参照）を有し、それらによって支持される前後方向に延伸した内引出２３０用のガイド部、すなわち両側の２本のパイプ７８０（図４参照）をさらに有する。
【００３０】
多段収納庫２００は、パイプ７８０の少なくとも上面を被覆する保護カバー８００を有する。保護カバー８００は、その上を内引出２３０が走行可能なガイドレールを形成する。内引出２３０は、それが備える車輪２３２によって走行し、保護カバー８００上を前後にスライド可能である。
【００３１】
保護カバー８００は、このように、内引出２３０のスライドを案内するガイドレールの役割を果たすとともに、パイプ７８０の保護機能も有する。
【００３２】
保護カバー８００は、パイプ７８０に対する回転止め機構８１６（図４参照）を有する共通カバー部材８００Ａ、および、共通カバー部材８００Ａに着脱可能な選択カバー部材８００Ｂで構成されている。本実施形態では、共通カバー部材８００Ａが後方に配置され、その前方に選択カバー部材８００Ｂが配置されているが、これらの位置関係は逆であってもよい。
【００３３】
なお、回転止め機構８１６は、後板２５２の上端の水平方向に屈曲した部位を上下から挟むことにより、共通カバー部材８００Ａがパイプ７８０の周りに回転しないように固定する。
【００３４】
図４は図３に示す選択カバー部材の交換を示す図であり、図５は２種類の選択カバー部材それぞれの四面図であり、図６は図３に示す共通カバー部材の五面図である。本実施形態の特徴は、図４に示すように、選択カバー部材８００Ｂが、長さの相異する複数の選択カバー部材８００Ｂ、８００Ｃから選択される。
【００３５】
回転止め機構８１６を有する共通カバー部材８００Ａは、選択カバー部材８００Ｂ、８００Ｃより製造コストが高い。したがって、コストの高いカバー部材の長さは一定のものとして、可能な限り無駄なく利用できる汎用性の高いものとしている。一方、外引出３００や内引出２３０の奥行き寸法の変化を想定した選択カバー部材８００Ｂ、８００Ｃは、様々な寸法のものを安価に製造可能である。これにより、本実施形態では、製造コストの削減が図られる。
【００３６】
図５（ｂ）（ｄ）、図６（ｂ）（ｄ）は、保護カバー８００を構成する共通カバー部材８００Ａおよび選択カバー部材８００Ｂを、それぞれ、前方および後方から見た図である。これらの図に示すように、保護カバー８００は、前方、後方および下方が開放された、略コの字型の断面を有する。保護カバー８００はかかる形状を有するため、図４（ａ）に示すように、パイプ７８０に上方から被せることによってパイプ７８０を被覆することが可能である（図４（ｂ））。
【００３７】
選択カバー部材８００Ｂを交換するときは、図４（ｃ）に示すように、選択カバー部材８００Ｂのみを上に持ち上げ、長さの短い選択カバー部材８００Ｃを代わりに装着可能である。選択カバー部材８００Ｃも、図５（ｆ）（ｈ）に示すように、選択カバー部材８００Ｂと同様の断面を有するため、かかる上方からの装着し、全体として長さの異なる別の保護カバー８０２を構成可能である（図４（ｄ））。このように、共通カバー部材８００Ａは交換不要であるために、部品の共通化が図られる。
【００３８】
また、内引出２３０のスライド範囲の変更を予め想定して長さの異なる選択カバー部材８００Ｃを用意しておくことで、簡単に、内引出２３０のスライド範囲を変更できる。すなわち、内引出２３０を、外引出３００の前板２５０の直近までスライドするようにしたい場合は、パイプ７８０の実質的に前端部まで被覆する長い選択カバー部材８００Ｂを用いればよい。一方、内引出２３０のスライド範囲を、外引出３００の中央までに規制したい場合は、交換後の短い選択カバー部材８００Ｃを用いればよい。
【００３９】
また、図示しないものの、外引出３００と奥行き方向の長さが異なる別の外引出、すなわちパイプの長さの異なる外引出に対応するよう、選択カバー部材８００Ｂ、８００Ｃを交換可能である。
【００４０】
図４に示すように、本実施形態では、パイプ７８０の先端には、前板２５０の傾斜を調節する機構７９０が設けられている。図４（ｂ）に示すように、前板２５０の手前まで延びている保護カバー８００は、この前板傾斜調節機構７９０と隣接するか、あるいは、機構７９０の一部に重なる状態でパイプ７８０に取り付けられている。したがって、そのままでは機構７９０を操作しにくく、あるいは操作不能である。しかし、選択カバー部材８００Ｂは共通カバー部材８００Ａから着脱自在であるため、選択カバー部材８００Ｂだけを一時的に取り外すことで、機構７９０を操作可能となる。このような場合、保護カバー８００全体をパイプ７８０から外すという大がかりな作業を必要としないという利点が本実施形態では得られる。
【００４１】
例えば図５（ｃ）、（ｇ）に示すように、保護カバー８００の前端部（選択カバー部材８００Ｂ、８００Ｃの前端部）には、前方に向かって下降した段差部８１０Ｂ、８１０Ｃが形成されている。図７および図８は、図５（ｃ）の段差部８１０Ｂを備えた保護カバー８００上を内引出２３０が走行する様子を示す図である。内引出２３０は、図７に示すように、保護カバー８００上を走行する車輪２３２によって、保護カバー８００上をスライド可能であり、この車輪２３２は、図８に示すように、前方に向かって走行すると、選択カバー部材８００Ｂの前端部の段差部８１０Ｂに落ち込むことによって停止する。
【００４２】
選択カバー部材８００Ｂ、８００Ｃが選択・交換可能であることから、選択カバー部材８００Ｂを使用することにより、内引出２３０は、外引出３００の前板２５０の直近の所で停止させることも可能であるし、選択カバー部材８００Ｃを使用することにより、内引出２３０は、外引出３００の途中で停止させることも可能である。このように長さの異なる交換カバーを用意しておけば、キッチン収納庫の収納レイアウトのバリエーションが広がる。
【００４３】
また、段差部８１０Ｂ、８１０Ｃに車輪２３２が落ち込むことによって、外引出３００を引き出す際、内引出２３０を後退させずに、外引出３００と一体的に引き出すことが可能である。とくに、両方の引出２３０、３００がシンクキャビネット１５０内に完全に収容されているときに車輪２３２が段差部８１０Ｂ、８１０Ｃに落ち込んでいれば、外引出３００とともに内引出２３０を同時に引き出すことができる。
【００４４】
上記の保護カバー８００は、後方に向かってなだらかに下降する傾斜部８０４Ａを共通カバー部材８００Ａに有し、同様の傾斜部８０４Ｂ、８０４Ｃを選択カバー部材８００Ｂ、８００Ｃに有する。なお、これらの傾斜部の数および場所については、制限はない。
【００４５】
これらの傾斜部８０４Ａ、８０４Ｂ、８０４Ｃを設けることにより、内引出２３０の車輪２３２を段差部８１０Ｂまたは８１０Ｃから持ち上げ、内引出２３０をある程度後退させれば、その後は、大きな力を加えることなく、傾斜部８０４Ａと傾斜部８０４Ｂまたは８０４Ｃとによって、内引出２３０を後方にスムーズにスライド移動させることができる。内引出２３０の車輪２３２を段差部８１０Ｂまたは８１０Ｃから持ち上げた後に手を離すだけで内引出２３０がシンクキャビネット１５０内に収納されるほどの急峻な傾斜部としてもよい。
【００４６】
上記のような傾斜部８０４Ａ、８０４Ｂ、８０４Ｃを設けることにより、内引出２３０は、その車輪２３２が段差部８１０Ｂまたは８１０Ｃに落ち込んでいても、水平状態に近付き、安定する。このとき、内引出２３０が依然として前傾していても、内引出２３０の後方側の重みによって、内引出２３０は、前のめりに保護カバー８００から外れるようなことはなく、静止状態が保たれる。
【００４７】
図９は図５（ｂ）に示す選択カバー部材をパイプに装着する様子を示す図である。保護カバー８００は、すべて、図５（ｂ）のように略コの字の断面形状を有するため、以下、図９の選択カバー部材８００Ｂを代表として、パイプ７８０への装着方法を説明する。
【００４８】
図９（ａ）に示すように、選択カバー部材８００Ｂの内側には、上方に向かって先細りに傾斜する間口部８０６と、間口部８０６の上方でパイプ７８０に嵌合する形状を有する嵌合部８０８とを有する。
【００４９】
選択カバー部材８００Ｂを含めて、保護カバー８００全体は、ＡＢＳ樹脂性であり、可撓性を有する。パイプ７８０が押し付けられると、この可撓性によって、間口部８０６が拡がり（図９（ｂ））、パイプ７８０が嵌合部８０８に嵌合する（図９（ｃ））。
【００５０】
再び図５および図６を参照すると、保護カバー８００の側面のうち、上記の間口部８０６が設けられている場所には、下端から上方に向かって延びる１つ以上のスリット８２０Ａ、８２０Ｂ、８２０Ｃが形成されている。可撓性を発揮するときに、かかる溝によって保護カバー８００を撓ませ、間口部を拡げてパイプ７８０に装着するためである。
【００５１】
また、共通カバー部材８００Ａと選択カバー部材８００Ｂ、８００Ｃとは、凹部８１２Ａと、凸部８１２Ｂ、８１２Ｃとによって嵌合し、上下方向には分離可能だが、前後方向には分離不能な構造によって、着脱可能となっている。かかる構造によれば、選択カバー部材８００Ｂだけを上に持ち上げ、他の選択カバー部材８００Ｃを代わりにパイプ７８０に被せることが容易である。
【００５２】
また、共通カバー部材８００Ａは、パイプ７８０の周囲を回転してしまわないよう、回転止め機構８１６を備えている。一方、選択カバー部材８００Ｂ、８００Ｃには回転止め機構はないものの、上述の凹部８１２Ａと、凸部８１２Ｂ、８１２Ｃとの嵌合により、選択カバー部材８００Ｂは共通カバー部材８００Ａに固定されるため、回転が防止されている。
【００５３】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５４】
本発明は、キッチンに配置される引出式のキッチン収納庫に適用可能である。
【図面の簡単な説明】
【００５５】
【図１】本発明によるキッチン収納庫の実施形態である多段収納庫が格納されるキッチンの外観図である。
【図２】図１に示すキッチンの斜視図である。
【図３】図２に示す多段収納庫を引き出した状態を示す図である。
【図４】図３に示す選択カバー部材の交換を示す図である。
【図５】２種類の選択カバー部材それぞれの四面図である。
【図６】図３に示す共通カバー部材の五面図である。
【図７】図５（ｃ）の段差部を備えた保護カバー上を内引出が走行する様子を示す図である。
【図８】図５（ｃ）の段差部を備えた保護カバー上を内引出が走行する様子を示す図である。
【図９】図５（ｂ）に示す選択カバー部材をパイプに装着する様子を示す図である。
【符号の説明】
【００５６】
１００  キッチン
１４０  シンク
２００  多段収納庫
２３０  内引出
３００  外引出
７８０  パイプ
８００  保護カバー
８００Ａ  共通カバー部材
８００Ｂ、８００Ｃ  選択カバー部材
【図１】
0005036424.tif 000002
【図２】
0005036424.tif 000003
【図３】
0005036424.tif 000004
【図４】
0005036424.tif 000005
【図５】
0005036424.tif 000006
【図６】
0005036424.tif 000007
【図７】
0005036424.tif 000008
【図８】
0005036424.tif 000009
【図９】
0005036424.tif 000010